(57)【要約】【課題】  本発明は、音響機器として意識することなく、かつ安心して使用できる音響装置を組み込んだ枕であって、枕ケースと音響装置とを分離が容易な構造の枕、枕音響システム及び音響装置を提供することである。【解決手段】  本発明は、枕ケース３００内にすっぽり入る寸法の音響ケース４００内に、受信アンテナ１ａにより電波を受信してスピーカ３，４で音楽等を流すまでの電気部品を収容することによって、単独で使用可能な構成として、これを枕ケース３００内に収容することで、睡眠時に枕から流れる音楽等を聴けるようにした。【選択図】    図６
2005304581.tif 000002
【特許請求の範囲】
【請求項１】
頭を乗せるための枕ケースと、
内部に空洞を構成する略棒状の形状を有し、その長手方向の２つの端部付近には、それぞれ複数の孔が開けられており、前記長手方向が、前記枕ケース内に、頭を乗せられたときの身長方向と略直交するように収容される音響ケースを有し、前記音響ケース内の空洞に、無線信号を受信して音響帯域信号を出力する受信部と、前記２つの端部方向であって前記孔付近にそれぞれ配置され前記受信部が出力する音響帯域信号を音にして出力する２つのスピーカと、前記受信部を駆動する電池部とを収納する音響装置とを備えたことを特徴とする枕。
【請求項２】
前記音響ケースの端部の孔付近の内側又は外側に塗布又は配置されたマイナスイオン発生剤と、前記音響ケースの空洞内に前記孔方向に向けて空気の流れを起こすファンを備えた請求項１記載の枕。
【請求項３】
前記電池部から各部への電源供給を所定時間後に停止させるタイマーを備えた請求項１又は２記載の枕。
【請求項４】
請求項１、２又は３記載のいずれか１つの枕と、その枕の音響装置に対して、無線で前記音響帯域信号を送信する送信装置を備えた枕音響システム。
【請求項５】
内部に空洞を構成する略棒状の形状を有し、その長手方向の２つの端部付近には、それぞれ複数の孔が開けられた、持ち運び移動可能な音響ケースを有し、前記内部の空洞に、無線信号を受信して音響帯域信号を出力する受信部と、前記２つの端部方向にあって前記孔付近にそれぞれ配置され、前記受信部が出力する音響帯域信号を音にして出力する２つのスピーカと、前記受信部を駆動する電池部とを前記音響ケースに収納し、枕内に収容されて又はその枕の外で、いずれでも使用可能な音響装置。
【発明の詳細な説明】
【技術分野】
【０００１】
本発明は、睡眠時に或いは休憩時に、音楽等の音響を聴きながら睡眠或いは休憩が可能な枕、そのシステム、及び枕の中に容れて使用することもできるし、その外においても使用可能な、かつ携帯移動可能な音響装置に関する。
【背景技術】
【０００２】
近年は、生活（社会）環境から受ける緊張が強く、睡眠に入って熟睡するまで、或いは休憩中に、緊張を和らげ、癒す時間及び環境が望まれるようになってきている。
【０００３】
そのような要望に答えるものとして、従来からも、内部にステレオスピーカユニットを備えた枕であって、枕上面部と枕の略両端部の表面被覆材の地裏側と間にメッシュシートを介してスピーカユニットを取り付け、このスピーカユニットと外部音響機器に接続するための端子を備えたものがあった。また、この従来技術にあっては、枕の充填材として、抗菌、殺菌性等の薬効成分を有する木材（粉）を単独或いは混合して利用することがきる（特許文献１を参照）。
【０００４】
また、枕にヘッドフォーンを着脱自在にした技術もある（特許文献２を参照）。
【０００５】
その他、睡眠とは関係なく、歩きながらでも、所望の時間にヘッドフォーン等で音楽等と聴くためのものとして、特許文献３，４等で公開されているものがある。
【特許文献１】特開２００２−１２５８２５号公報（段落「０００９」〜「００１８」、図２〜４）
【特許文献２】特開平６−２１７８５５号公報（「請求項１」、図１）
【特許文献３】特開平１０−１５５１９１号公報（「請求項１」、「請求項２」、図２）
【特許文献４】特開２００１−１２８２９４号公報（「請求項１」〜「請求項６」、図１、図３）
【発明の開示】
【発明が解決しようとする課題】
【０００６】
上記の特許文献１のようなものであれば、スピーカが枕に離脱困難に固定されている。したがって、睡眠時に音楽等を聴くことができるが、横になって音楽を聴きながら雑誌を見ようかというような場合は、スピーカが固定されており、不便である。また、枕本体と音響装置と、全く異質なものをほぼ同一工程製造検査しなければならないので、製造上でも効率がよくない。
【０００７】
特許文献２の技術によるものは、外部から見えるので好みにもよるが安眠を得るイメージに乏しいし、また、ヘッドホーンやイヤーホーンによる圧迫感により、安眠しやすい環境とは言えない。また、枕から頭がずれたときには、ヘッドフォーンが邪魔になり、破損しかけたり危険になりかねない。特許文献１も２も有線であり、配線が気にかかってくる。
【０００８】
特許文献３，４のものは、いずれもヘッドフォーンであり、枕内で使用するには特許文献２と同様の問題がある。
【０００９】
本発明の目的は、音響機器として意識することなく、かつ安心して使用できる音響装置を組み込んだ枕であって、主たる製造工程も、枕本体と、音響装置とを別々に構成できるもの、つまりは、分離が容易な構造の枕、枕音響システム及び音響装置を提供することである。
【課題を解決するための手段】
【００１０】
上記の目的を達成するために、請求項１記載の発明は、頭を乗せるための枕ケースと、内部に空洞を構成する略棒状の形状を有し、その長手方向の２つの端部付近には、それぞれ複数の孔が開けられており、前記長手方向が、前記枕ケース内に、頭を乗せられたときの身長方向と略直交するように収容される音響ケースを有し、前記音響ケース内の空洞に、無線信号を受信して音響帯域信号を出力する受信部と、前記２つの端部方向であって前記孔付近にそれぞれ配置され前記受信部が出力する音響帯域信号を音にして出力する２つのスピーカと、前記受信部を駆動する電池部とを収納する音響装置とを備えた。
【００１１】
請求項２記載の発明は、請求項１記載の発明において、前記音響ケースの端部の孔付近の内側又は外側に塗布又は配置されたマイナスイオン発生剤と、前記音響ケースの空洞内に前記孔方向に向けて空気の流れを起こすファンを備えた。
【００１２】
請求項３記載の発明は、請求項１又は２記載の発明において、前記電池部から各部への電源供給を所定時間後に停止させるタイマーを備えた。
【００１３】
請求項４記載の発明は、請求項１、２又は３記載の発明いずれか１つの枕と、その枕の音響装置に対して、無線で前記音響帯域信号を送信する送信装置を備えた。
【００１４】
請求項５記載の発明は、内部に空洞を構成する略棒状の形状を有し、その長手方向の２つの端部付近には、それぞれ複数の孔が開けられた、持ち運び移動可能な音響ケースを有し、前記内部の空洞に、無線信号を受信して音響帯域信号を出力する受信部と、前記２つの端部方向にあって前記孔付近にそれぞれ配置され、前記受信部が出力する音響帯域信号を音にして出力する２つのスピーカと、前記受信部を駆動する電池部とを前記音響ケースに収納し、枕内に収容されて又はその枕の外で、いずれでも使用可能な構成とした。
【発明の効果】
【００１５】
請求項１に記載の枕、及び請求項に記載の音響装置によれば、無線による音響装置が枕本体（枕の外形）にすっぽり入る構成なので、見かけ上もハード的なイメージが無く、圧迫感も無く、安心して使用できる。また、分離できる構成なので、製造上も、枕本体と音響装置と、それぞれの熟練した工程で効率をあげることができる。また、分離できる構成であるから、枕内から音響装置をとりだして、例えば机上で音楽を聴くこともできる。
【００１６】
請求項２記載の発明によれば、睡眠しながら、或いは音楽を聴きながらマイナスイオン効果が得られるので、より健康的な効果がある。
【００１７】
請求項３記載の発明によれば、タイマーにより、自動的に電源をオフにすることができる。熟睡等による電源切れ忘れ防止に役立つ。
【００１８】
請求項４記載の発明によれば、外部送信から所望の音楽等を無線で送れる構成としたので、枕内の音響装置がコンパクトとでありながら、かつ有線の場合の配線に気を使うことなく、多くの音楽等のメニューを経験することができる。
【発明を実施するための最良の形態】
【００１９】
本発明の形態を図を基に説明する。図１、図２及び図３は、枕ケース３００内に音響ケース４００を組み込んだ図である。図１は、正面（頭を乗せる面）から見た図で、図２は図１の下部から見た図である。図３は、図１のサイドから見た図である。
【００２０】
図１ａ類は図６の音響ケース４００は、内部に図７に示す枕アンプ１００を収納する。その音響ケース４００は、図１の枕ケース３００の下部にある枕カバーの背面チャック３００ａを開けて枕ケース３００の内部に収納される。そのとき、音響ケース４００は、音が出る孔４００ａを身長の下部方向に向けて、内部のスピーカ３，４からの音楽等が聴こえるように設置される。枕ケース３００は、例えば、プラスチック等の合成樹脂或いは竹等で編まれた幾分やわらかい部材で骨組みにされ、下部には音響ケース４００が出し入れ可能に、サイドには音響ケースに取り付けられたスイッチ９及びボリューム７が操作可能に、一部が開けられた構造の骨組みを有しており、さらにその上にかけられる枕カバーで構成されている。枕カバーは、図１の背面チャック３００ａと図３のサイドチャック３００ｂを有し、それぞれ開くことによって、音響ケースの出し入れ、操作が可能にされている。なお、枕ケース３００内にクッション材を入れておいてもよい。
【００２１】
音響ケース４００の外観の斜視部を図４、正面図を図５に示す。図４に示すように、音響ケース４００は、単独で外において孔４００ａを横にして立てるように、下部が平らな構造とされ、かつ全体がデザイン的にも美的感覚を誘起するようにされている。図４において、音響ケース４００は、中央付近で細くなり端部付近で膨らむ構造であるが、これは、枕に入れたとき頭の下の枕部分が幾らか沈んでも違和感がないようなデザインとしたことによる。音響ケース４００は、通常の枕に入る大きさであるから、片手で簡単に持ち運びできて、どこでも使用可能である。
【００２２】
音響ケース４００は、正面側ケースと背面側ケースとからなり、その内部は、図６に示すように、空洞４００ｂがある。その空洞４００ｂの長手方向の両端部４００ｃを主として、図７における枕アンプ１００の各部が配置されている。一方の端部４００ｃには、スピーカ４と電池部１０が収納され、他方の端部４００ｃには、スピーカ３、受信部１、Ａｍｐ部２及び８並びにボリューム７、スイッチ９及び受信アンテナ１ａが取り付けられている（これらは、１つの基板に取り付けられていることが組み立て上、好ましい）。これらの電気的な各部は、内部の空洞を利用して図７に基づく配線がなされている。ボリューム７、スイッチ９の少なくとも一部は、外部から操作可能に音響ケース４００から突出している。つまり、図３に示すように枕カバーのサイドチャック３００ｂを開けると操作可能に配置されている。
【００２３】
スピーカ３，４は、図５に示すような端部４００ｃ付近に設けられた孔４００ａ付近の内部に設けられているが、この付近にマイナスイオンを発生しやすいトルマリンの粉末を塗布しておいて、図６に示すように端部４００ｃに向けて空気の流れを起こすファン５，６を設けることにより、孔４００ａから音楽とマイナスイオンの双方が流れるように構成されている。なお、粒状のトルマリンを空気の流れ通り道に内蔵してもよい。このようにすることによって、音楽とともに相乗的に精神面を安定化する効果及び安眠を促す効果が得られる。
【００２４】
次に図７を基に、電気的構成及び動作を説明する。大きく分けるとアプリケーション機器５００と送信部２００を含む送信側と、枕ケース３００の内部に設置、或いは外に移動して使用可能な枕アンプ１００からなる受信側で構成される。
【００２５】
アプリケーション機器５００は、いわば音源であって、ＣＤ、ＭＤ、ＤＶＤ等に記憶されている音声、音楽、音等を再生して音響帯域信号を出力する再生装置、或いはラジオ、ＦＭ，ＴＶ等の電波を受信して復調して音響帯域信号を出力する受信装置である。
【００２６】
送信機２００は、アプリケーション機器５００からの音響帯域信号を受けて電波に変換（変調）して送信アンテナ２００ａから出力する。
【００２７】
受信部１は、受信アンテナ１ａで受けた電波を音響帯域信号に変換（復調）する。そのさいステレオ受信或いは左右の２つの信号として出力する。
【００２８】
Ａｍｐ部２は、受信部１からの２つの音響帯域信号を増幅して左右のスピーカ３，４を駆動する。そのときボリューム７でパワー（或いは増幅度）を可変できるようにされている。なお、この例では、例えばＴＶ等チャンネル選定は、アプリケーション機器５００側で、赤外線を利用したリモートコントロールで設定している。
【００２９】
ファン５，６は、小型なモータで駆動されるファンで構成され、音響ケース４００の孔４００ａ付近の内に塗布されたトルマリンによるマイナスイオンを流す空気のながれを生成するためのものである。ファンは音が少ない小型のものが用いられる。
【００３０】
タイマー８は、電池部１０の出力に設けられたスイッチ９がオンにされるとその電池部１０の電力を受信部１、Amp部２及びファン５，６へ供給するとともに、時間を刻み始めて予め設定された時間になると、前記供給を停止するようにされている。それによって、熟睡後の消し忘れを防止する。なお時間設定は固定でなくとも可変できるようにしてもよい。また時間表示手段を設けてもよい。
【００３１】
電池部１０は、充電端子を使って、外部から充電可能にされている。また、Ａｍｐ部２は、受信部１からの信号に変えて、外部からの入力端子を利用して、外部からの音響信号を直接受けてスピーカ３、４を駆動することができる。
【００３２】
上記説明における枕及び枕ケース３００は、一般の就寝用の枕を基に説明しているが、これに限ることはなく、枕としては、病院のベッド用の枕、椅子或いは座椅子の背もたれの上に設けられた頭をのせる枕であってもよい。椅子等は、一般の椅子から乗り物の椅子、障害者の椅子等であってもよい。枕ケース３００及び音響ケース４００が用途に応じて変更されるが、基本的な構成要素は本発明のものが適用できる。また、枕としてではなく、音響装置単独としても使用できる。
【００３３】
上記のように、音響装置を枕に入る寸法で、単体で机の上でも聴ける構造、つまり、枕本体とは別に製造、使用可能になるよう構造とした。このようにそれぞれ分離・内蔵が容易であれば、ユーザサイドでも、枕に音響装置を入れて、或いは枕から音響装置をとりだして聴くことができる。また、音響ケース４００そのものをデザイン的に装飾的要素をもたせることにより、しかも無線で使用できるから、室内の所望の位置に装飾品を兼ねた音響装置として利用できる。
【図面の簡単な説明】
【００３４】
【図１】本発明に係る枕及び音響ケースの構造を示す図である。
【図２】本発明に係る枕及び音響ケースの構造を示す図である。
【図３】本発明に係る枕及び音響ケースの構造を示す図である。
【図４】本発明に係る音響ケースの外観を示す図である。
【図５】本発明に係る音響ケースの外観を示す図である。
【図６】本発明に係る音響ケースの構造及び電気的構成要素の配置を示す図である。
【図７】本発明に係る電気的構成を示す図である。
【符号の説明】
【００３５】
２  Ａｍｐ部
３、４  スピーカ
５、６  ファン
７  ボリューム
８  タイマー
９  スイッチ
１０  電池部
１００  枕アンプ
２００  送信部
３００  枕ケース
４００  音響ケース
５００  アプリケーション機器
【図１】
2005304581.tif 000003
【図２】
2005304581.tif 000004
【図３】
2005304581.tif 000005
【図４】
2005304581.tif 000006
【図５】
2005304581.tif 000007
【図６】
2005304581.tif 000008
【図７】
2005304581.tif 000009